(57)【要約】【課題】例えばシュリンクフィルムで包装された円筒型の物品を包装する際に、底蓋部側の舌片によりシュリンクフィルムがめくれ上がることを防止できる包装用箱を提供する。【解決手段】包装用箱１は、筒状の本体部２と、本体部２に折り曲げ可能に接続されて本体部２の下部開口を開閉可能に塞ぐ底蓋部４とを少なくとも備える。底蓋部４の先端縁には、底蓋部４が前記下部開口を塞ぐ際に本体部２に設けられた差込孔８に差し込まれる舌片（第２舌片）６が折り曲げ可能に接続されており、第２舌片６は、その頂部６０が底蓋部４の横幅方向の中心位置よりも左右の少なくとも一方側に位置している。【選択図】図６
2020050349.tif 000002
【特許請求の範囲】
【請求項１】
外周面の少なくとも一部がシート材により覆われた物品の包装に使用される包装用箱であって、
筒状の本体部と、
前記本体部に折り曲げ可能に接続されて前記本体部の下部開口を開閉可能に塞ぐ底蓋部と、を少なくとも備え、
前記底蓋部の先端縁には、前記底蓋部が前記下部開口を塞ぐ際に前記本体部に設けられた差込孔に差し込まれる舌片が折り曲げ可能に接続されており、
前記舌片は、その頂部が前記底蓋部の横幅方向の中心位置よりも左右の少なくとも一方側に位置している、包装用箱。
【請求項２】
前記舌片は、前記底蓋部の横幅方向の中心位置よりも左側及び右側にそれぞれ前記頂部を有するとともに、２つの前記頂部の間に凹部を有する、請求項１に記載の包装用箱。
【請求項３】
前記凹部は、その底部に向かって横幅が次第に狭まる先細形状を呈する、請求項２に記載の包装用箱。
【請求項４】
前記舌片は、前記頂部から少なくとも前記底蓋部の横幅方向の中心位置まで延びるとともに前記底蓋部側に向かって低く傾斜する傾斜部を有する、請求項１に記載の包装用箱。
【請求項５】
前記舌片の前記頂部を含む凸部が、前記頂部に向かって横幅が次第に狭まる先細形状を呈する、請求項１〜４のいずれかに記載の包装用箱。
【発明の詳細な説明】
【技術分野】
【０００１】
本発明は、物品を包装するための包装用箱に関する。
【背景技術】
【０００２】
従来から物品を包装するために、紙やプラスチックなどのブランクシートで形成された包装用箱が用いられている。図１１に示すように、包装用箱１１０は、筒状の本体部１１１と、本体部１１１の上部開口及び下部開口をそれぞれ塞ぐ上蓋部１１２及び底蓋部１１３とを備えている。上蓋部１１２及び底蓋部１１３は、それぞれ本体部１１１の上端縁及び下端縁に折り曲げ可能に接続されており、上蓋部１１２及び底蓋部１１３の先端縁にはそれぞれ第１舌片１１４及び第２舌片１１５が折り曲げ可能に接続されている。また、本体部１１１には、上部及び下部に第１舌片１１４及び第２舌片１１５がそれぞれ差し込まれるスリット状の差込孔１１６，１１７が形成されている。
【０００３】
底蓋部１１３で本体部１１１の下部開口を塞いだ後、上部開口から本体部１１１内に物品１２０を収容し、上蓋部１１２で本体部１１１の上部開口を塞ぐことで、物品１２０が包装用箱１１０により包装される。本体部１１１の上部開口及び下部開口を上蓋部１１２及び底蓋部１１３により塞いだ際に、第１舌片１１４及び第２舌片１１５を差込孔１１６，１１７に差し込むことで、上蓋部１１２及び底蓋部１１３は閉じた状態が維持される。このとき、第１舌片１１４及び第２舌片１１５は、本体部１１１の内面に沿うように起立した状態で配置される。第１舌片１１４及び第２舌片１１５の外形は、矩形状、あるいは、図１２に示すように、差込孔１１６，１１７に差し込みやすいように台形状や山形状などの先細形状を呈しているのが一般的である（例えば特許文献１を参照）。
【先行技術文献】
【特許文献】
【０００４】
【特許文献１】特開２０１５−２２７１８８号公報
【発明の概要】
【発明が解決しようとする課題】
【０００５】
包装用箱に包装される物品としては、様々な形態のものがあるが、この種の包装用箱は、包装する物品の形態についてあまり考慮されていないのが現状であり、例えば外周面を熱収縮したシュリンクフィルムで覆うことでシュリンク包装した円筒型の物品を包装用箱に包装した際には、以下の問題がある。つまり、図１３に示すように、物品１２０を上部開口より本体部内に収容する際に、収容される物品１２０の底側では第２舌片１１５が物品１２０の外周面に下方から接触するが、このとき、第２舌片１１５が矩形状あるいは先細形状を呈していると、第２舌片１１５の頂部１１８がシュリンクフィルム１２１に引っ掛かる。これにより、シュリンクフィルム１２１がめくれ上がり、シュリンクフィルム１２１が物品１２０から剥がれたり、シュリンクフィルム１２１が破れたりするなどの問題が起きる。なお、この問題は、例えばラベルやステッカー、シールなどが外周面に貼り付けられた物品についても同様である。
【０００６】
本発明は上記課題を解決するためになされたものであり、外周面の少なくとも一部が紙やフィルムなどのシート材により覆われた物品でありかつ例えば円筒型の物品を包装する際に、底蓋部側の舌片によりシート材がめくれ上がることを防止できる包装用箱を提供することを目的とする。
【課題を解決するための手段】
【０００７】
本発明の包装用箱は、外周面の少なくとも一部がシート材により覆われた物品の包装に使用される包装用箱であって、筒状の本体部と、前記本体部に折り曲げ可能に接続されて前記本体部の下部開口を開閉可能に塞ぐ底蓋部と、を少なくとも備え、前記底蓋部の先端縁には、前記底蓋部が前記下部開口を塞ぐ際に前記本体部に設けられた差込孔に差し込まれる舌片が折り曲げ可能に接続されており、前記舌片は、その頂部が前記底蓋部の横幅方向の中心位置よりも左右の少なくとも一方側に位置していることを特徴とする。
【０００８】
本発明の包装用箱においては、前記舌片は、前記底蓋部の横幅方向の中心位置よりも左側及び右側にそれぞれ前記頂部を有するとともに、２つの前記頂部の間に凹部を有することが好ましい。
【０００９】
また、本発明の包装用箱においては、前記凹部は、その底部に向かって横幅が次第に狭まる先細形状を呈することが好ましい。
【００１０】
また、本発明の包装用箱においては、前記舌片は、前記頂部から少なくとも前記底蓋部の横幅方向の中心位置まで延びるとともに前記底蓋部側に向かって低く傾斜する傾斜部を有することが好ましい。
【００１１】
また、本発明の包装用箱においては、前記舌片の前記頂部を含む凸部が、前記頂部に向かって横幅が次第に狭まる先細形状を呈することが好ましい。
【発明の効果】
【００１２】
本発明の包装用箱によれば、例えば円筒型の物品を本体部内に収容する際、収容される物品の底側では、底蓋部の舌片が、底蓋部の横幅方向の中心位置近傍において、物品の外周面に下方から接触する。ここで、底蓋部の舌片は、頂部が底蓋部の幅方向の中心位置には存在せず、当該中心位置より左右にずれて位置している。そのため、収容される物品の底側において底蓋部の舌片が物品の外周面に下方から接触するときに、舌片の頂部は物品の外周面には当たらないので、物品の外周面を覆うシート材に引っ掛からない。よって、物品を本体部内に収容する際に、シート材がめくれ上がって、シート材が物品から剥がれたり、シート材が破れたりすることを防止できる。
【００１３】
なお、本発明の包装用箱は、円筒型の物品だけでなく、円柱型、円錐型、円錐台型などの断面視が円形状の物品、さらには断面視が楕円形状の物品について、物品の外周面を覆うシート材がめくれることなく好適に包装することができる。その他、例えば断面視で周方向の一部において湾曲する形状を呈した外周面を有する物品であって、外周面の前記湾曲した部分が少なくともシート材により覆われた物品についても、シート材がめくれることなく好適に包装することができる。
【図面の簡単な説明】
【００１４】
【図１】本実施形態の包装用箱（物品を収容した状態）の斜視図である。
【図２】本実施形態の包装用箱（物品を収容した状態）の斜視図である。
【図３】図２のＡ−Ａ断面図である。
【図４】図２のＢ−Ｂ断面図である。
【図５】物品の（ａ）斜視図、（ｂ）底面図である。
【図６】第２舌片を拡大して示す正面図である。
【図７】第２舌片と物品との関係を説明する（ａ）平面図、（ｂ）正面図である。
【図８】包装用箱の展開図である。
【図９】物品を包装用箱の本体部内に収容する状態の断面図である。
【図１０】第２舌片の変形例を拡大して示す正面図である。
【図１１】従来例の包装用箱の断面図である。
【図１２】従来例の包装用箱の第２舌片を拡大して示す正面図である。
【図１３】従来例の包装用箱の第２舌片と物品との関係を説明する（ａ）平面図、（ｂ）正面図である。
【発明を実施するための形態】
【００１５】
以下、本発明に係る包装用箱の実施形態について図面を参照しつつ説明する。図１及び図２は、本実施形態の包装用箱１の外観を示し、図３及び図４は、本実施形態の包装用箱１の内部構成を示す。
【００１６】
包装用箱１は、例えば円筒型の物品１００でありかつシュリンクフィルム１０２で包装された物品１００を包装するために使用されるものである。この物品１００としては、例えば図５に示すように、有底円筒状の容器本体１０１Ａの口部にキャップ１０１Ｂが取り付けられた容器を例示することができ、その外周面にキャップ１０１Ｂの上端から容器本体１０１Ａの下端にわたって熱収縮したシュリンクフィルム１０２が密着した状態で巻き付けられている。なお、包装される物品１００は必ずしも容器である必要はない。
【００１７】
図１〜図４に示すように、包装用箱１は、物品１００が収容される筒状の本体部２と、本体部２の上部開口を開閉可能に塞ぐ上蓋部３と、本体部２の下部開口を開閉可能に塞ぐ底蓋部４とを備えている。
【００１８】
本体部２は、それぞれ上下方向に長い矩形状に形成された前後左右の４つの側面部２０〜２３を備えている。４つの側面部２０〜２３のうち、前側の側面部（正面部）２０は、包装用箱１の正面を向く面であり、本実施形態では、対向する後ろ側の側面部（背面部）２１よりも高さ及び横幅がかなり大きく形成されている。正面部２０には、例えば、表面に商品名や商品の特徴、商品の広告・宣伝のためやデザイン性向上のための模様（絵、図形、ロゴ、ブランドマークなど）などが表示され、裏面に商品の使用方法、成分表、会社名などが表示される。なお、正面部２０は、必ずしも背面部２１よりも大きく形成されている必要はなく、同じ大きさに形成されていてもよい。互いに対向する左右の側面部２２，２３（左側面部２２及び右側面部２３）は、同じ大きさに形成されている。
【００１９】
正面部２０と左側面部２２との角部には、正面部２０から左側面部２２にわたって切り欠いた切欠領域９が形成されている。この切欠領域９においては本体部２内の物品１００が露出しており、物品１００の一部を外部から視認可能となっている。
【００２０】
本体部２は、さらに各種のフラップ２４〜２８を備えている。具体的に、本実施形態では、左側面部２２及び右側面部２３の下端縁に、それぞれ第１フラップ２４，２５が折り曲げ可能に接続されている。２つの第１フラップ２４，２５は、同じ大きさの矩形状を呈しており、２つの第１フラップ２４，２５で本体部２の下部開口をほぼ覆う大きさに形成されている。
【００２１】
また、背面部２１の下端縁に、第２フラップ２６が折り曲げ可能に接続されている。第２フラップ２６は、台形状を呈しており、高さは本体部２の下部開口の縦長さ（前後方向の長さ）の約半分の大きさである。本体部２の第２フラップ２６と背面部２１との境目には、中央位置に後述する底蓋部４の舌片６を差し込み可能なスリット状の差込孔８が形成されている。
【００２２】
また、背面部２１の上端縁に、第３フラップ２７が折り曲げ可能に接続されている。第３フラップ２７は、略矩形状を呈しており、本体部２の上部開口をほぼ覆う大きさに形成されている。
【００２３】
また、右側面部２３の上端縁に、第４フラップ２８が折り曲げ可能に接続されている。第４フラップ２８は、矩形状を呈しており、高さは本体部２の上部開口の横長さ（左右方向の長さ）の約半分の大きさである。本体部２の第４フラップ２８と右側面部２３との境目には、中央位置に後述する上蓋部３の舌片５を差し込み可能なスリット状の差込孔７が形成されている。
【００２４】
本体部２は、さらに支持片２９を備えている。支持片２９は、シート状を呈しており、本体部２内で物品１００の一部に当接するように配置される。これにより、物品１００が本体部２内で移動したり回転したりすることを防止でき、物品１００が本体部２内から容易に抜け出にくくすることができる。支持片２９は、本体部２の隣接する側面部の間（本実施形態では正面部２０と右側面部２３との間）で延びるように配置されており、本体部２の内部を２つの空間に区切っている。
【００２５】
上蓋部３及び底蓋部４は、それぞれ矩形状を呈しており、本体部２の上部開口及び下部開口を覆う大きさに形成されている。上蓋部３及び底蓋部４は、本体部２を構成する複数の側面部２０〜２３のうちのいずれかの側面部の上端縁もしくは下端縁に折り曲げ可能に接続されている。本実施形態では、上蓋部３は、左側面部２２の上端縁に折り曲げ可能に接続され、底蓋部４は、正面部２０の下端縁の一部に折り曲げ可能に接続されている。なお、本実施形態では、上蓋部３及び底蓋部４は本体部２の異なる側面部に接続されているが、同じ側面部に接続されていてもよい。
【００２６】
上蓋部３の先端縁には、横幅方向の中央位置に、本体部２の上部開口を塞いだ上蓋部３が開くのを規制する舌片（第１舌片）５が折り曲げ可能に接続されている。また、底蓋部４の先端縁には、横幅方向の中央位置に、本体部２の下部開口を塞いだ底蓋部４が開くのを規制する舌片（第２舌片）６が折り曲げ可能に接続されている。
【００２７】
第２舌片６は、従来技術のような外形が矩形状あるいは台形状や山形状などの先細形状を呈しておらず、図６に示すように、その頂部６０（底蓋部４との境界から最も突き出た部分）が底蓋部４の横幅方向の中心位置よりも左右の少なくとも一方側に位置している。すなわち、従来技術の第２舌片１１５は、図１２に示すように、頂部１１８が底蓋部１１３の横幅方向の中心位置に存在しているが、本実施形態の第２舌片６は、図６に示すように、頂部６０が底蓋部４の横幅方向の中心位置には存在しないように形成されている。なお、図中の一点鎖線ｌは、底蓋部４の横幅方向の中心位置を通る中心線を示している。
【００２８】
具体的に、本実施形態の第２舌片６は、中心線ｌに対して左右対称形状を呈しており、先端縁の横幅方向の中央部分が底蓋部４側に低く落ち込むことで横幅方向の中心位置に凹部６３が形成されている。また、第２舌片６は、凹部６３の左右にそれぞれ頂部６０を含む凸部６１が設けられている。
【００２９】
凹部６３は、その底部６２に向かって横幅が次第に狭まる先細形状を呈しており、第２舌片６の２つの頂部６０から凹部６３の底部６２までの側辺部６４は、底蓋部４側に向かって低く傾斜している。この傾斜した側辺部６４は、直線状を呈していてもよいし、曲線状を呈していてもよい。底部６２は、本実施形態では点（頂点）で構成されているが、角張っておらず、丸みを帯びている。
【００３０】
２つの凸部６１は、その頂部６０に向かって横幅が次第に狭まる先細形状を呈しており、頂部６０は、本実施形態では点（頂点）で構成されている。なお、頂部６０は角張っておらず、丸みを帯びている。
【００３１】
２つの頂部６０の横幅方向における位置は、図７に示すように、第２舌片６が底蓋部４の横幅方向の中心位置において断面視円形状の物品１００の外周面に接する際に、第２舌片６が物品１００の外周面に沿って多少折れ曲がったとしても、２つの頂部６０が物品１００の外周面には接触しない位置に設定されていることが好ましい。この２つの頂部６０の位置は、例えば物品１００の径Ｄが３０ｍｍ〜４０ｍｍ程度である場合には、物品１００の中心Ｏと底蓋部４の横幅方向の中心位置とを結ぶ線分Ｌ０に対して、物品１００の中心Ｏと第２舌片６の２つの頂部６０とを結ぶ線分Ｌ１，Ｌ２がなす角度θ１，θ２がそれぞれ２５°以上であれば、２つの頂部６０が物品１００の外周面に接触しないため、上記角度θ１，θ２に基づき２つの頂部６０の位置を設定することが好ましい。なお、図中の一点鎖線ｍは、中心線ｌに交差するとともに物品１００の平面視における中心Ｏを通る線を示している。
【００３２】
なお、上述した線分Ｌ１，Ｌ２は、頂部６０が後述する図１０（ｂ）及び（ｃ）のように線状をなしている場合には、底蓋部４の横幅方向の中心側（中心線ｌ側）の端と、物品１００の中心Ｏとを結ぶ線分となる。
【００３３】
上述した２つの頂部６０の位置（上記角度θ１，θ２）は、物品１００の径Ｄに応じて設定され、物品１００の径Ｄが１０ｍｍ〜２０ｍｍである場合には、上記角度θ１，θ２は３７°以上であることが好ましく、物品１００の径Ｄが４０ｍｍ〜５０ｍｍである場合には、上記角度θ１，θ２は２３°以上であること好ましく、物品１００の径Ｄが６０ｍｍ〜８０ｍｍである場合には、上記角度θ１，θ２は１６°以上であること好ましい。
【００３４】
また、図６に示す凹部６３の２つの傾斜した側辺部６４の傾斜度合いは特に限定されるものではないが、中心線ｌに対して、凹部６３の底部６２と２つの頂部６０とを結ぶ線がなす角度α１，α２が５０°〜６０°であることが好ましく、４０°〜４５°であることがより好ましい。
【００３５】
第１舌片５は、本実施形態では、第２舌片６のようにその頂部（上蓋部３との境界から最も突き出た部分）が上蓋部３の横幅方向の中心位置よりも左右の少なくとも一方側に（図示例では左右のいずれにも）位置する形状を呈している。ただし、物品１００のシュリンクフィルム１０２のめくれ上がりは、特に物品１００の底において発生する可能性が高い観点から、第１舌片５は、その外形は特に限定されるものではなく、従来技術のように矩形状あるいは台形状や山形状などの先細形状を呈していてもよい。
【００３６】
上記構成の包装用箱１は、図８に示すように、所定の厚みを有する紙やプラスチックなどからなるブランクシート１０を組み立てることにより形作られる。ブランクシート１０は、支持片２９、接着用の糊代片３０、右側面部２３、背面部２１、左側面部２２及び正面部２０がこの順番でそれぞれ折り目３１Ａ〜３１Ｅを介して連設されている。左側面部２２及び正面部２０には折り目３１Ｅを跨ぐように切欠領域９が形成されている。また、右側面部２３、背面部２１、左側面部２２には、それぞれ、第４フラップ２８及び第１フラップ２５、第３フラップ２７及び第２フラップ２６、上蓋部３及び第１フラップ２４が折り目３１Ｆ〜３１Ｋを介して連設されており、上蓋部３には折り目３１Ｌを介して舌片５が連接されている。また、正面部２０には、底蓋部４が折り目３１Ｍを介して連設されており、底蓋部４には、舌片６が折り目３１Ｎを介して連設されている。
【００３７】
包装用箱１は、まず、ブランクシート１０の右側面部２３、背面部２１、左側面部２２及び正面部２０を折り目３１Ｃ〜３１Ｅで９０度に折り曲げて角筒状にする。このとき、糊代片３０も折り目３１Ｂで９０度に折り曲げて、糊代片３０を接着剤により正面部２０の裏面に接着することで本体部２が組み立てられる。
【００３８】
次に、２つの第１フラップ２４，２５を折り目３１Ｋ，３１Ｇで９０度に折り曲げた後、第２フラップ２６を折り目３１Ｉで９０度に折り曲げて２つの第１フラップ２４，２５に重ね合わせ、そして、底蓋部４を折り目３１Ｍで９０度に折り曲げて本体部２の下部開口を閉塞する。このとき、第２舌片６を折り目３１Ｎで９０度に折り曲げて差込孔８に差し込みことで、底蓋部４は閉じた状態が維持される。差込孔８に差し込まれた第２舌片６は、本体部２（背面部２１）の内面に沿うように起立した状態で配置される。
【００３９】
そして、図９に示すように、本体部２の上部開口から物品１００を本体部２内に収容する。その後、第３フラップ２７及び第４フラップ２８をそれぞれ折り目３１Ｈ，３１Ｆで９０度に折り曲げて重ね合わせ、そして、上蓋部３を折り目３１Ｊで９０度に折り曲げて本体部２の上部開口を閉塞する。このとき、舌片５を折り目３１Ｌで９０度に折り曲げて差込孔７に差し込みことで、上蓋部３は閉じた状態が維持される。これにより、包装用箱１が組み立てられ、物品１００が包装される。
【００４０】
図９において、物品１００を本体部２内に収容する際、収容される物品１００の底側では、第２舌片６が、底蓋部４の横幅方向の中心位置において、物品１００の外周面に下方から接触する。ここで、図１２に示す従来技術のように第２舌片１１５が台形状や山形状などの先細形状あるいは矩形状を呈していると、第２舌片１１５の先端縁においては頂部１１８が底蓋部１１３の横幅方向の中心位置に存在するため、図１３に示すように、第２舌片６が物品１２０の外周面に下方から接触したときに、先端縁の頂部１１８がシュリンクフィルム１２１に引っ掛かることで、シュリンクフィルム１２１がめくれ上がり、シュリンクフィルム１２１が物品１２０から剥がれたり、シュリンクフィルム１２１が破れたりする。
【００４１】
しかしながら、本実施形態の包装用箱１によれば、第２舌片６は、図６に示すように、頂部６０が底蓋部４の幅方向の中心位置には存在せず、当該中心位置より左右にずれて位置している。そのため、図９に示すように、収容される物品１００の底側において第２舌片６が物品１００の外周面に下方から接触するときに、頂部６０は物品１００の外周面には当たらないので、シュリンクフィルム１０２に引っ掛からない。よって、物品１００を本体部２内に収容する際に、シュリンクフィルム１０２がめくれ上がって、シュリンクフィルム１０２が物品１００から剥がれたり、シュリンクフィルム１０２が破れたりすることを防止できる。
【００４２】
また、本実施形態の包装用箱１によれば、第２舌片６の凹部６３が先細形状を呈していることで、物品１００が本体部２内に収容されていくに連れて、第２舌片６の凸部６１（その中でも傾斜した側辺部６４）が徐々に物品１００の外周面に接触して、シュリンクフィルム１０２を物品１００に押さえ付ける。そのうえ、側辺部６４が傾斜していることにより、第２舌片６の横幅方向の中央位置に存在する凹部６３ではシュリンクフィルム１０２が引っ掛かりにくい。よって、物品１００を本体部２内に最後まで収容しても、第２舌片６がシュリンクフィルム１０２に引っ掛からないので、より効果的にシュリンクフィルム１０２がめくれ上がることを防止できる。
【００４３】
加えて、本実施形態の包装用箱１によれば、第２舌片６が左右２つの頂部６０（凸部６１）を有しているので、物品１００が本体部２内に収容されていくに連れて、第２舌片６は２つの凸部６１（その中でも傾斜した側辺部６４）によりシュリンクフィルム１０２を物品１００に押さえ付けるため、さらに効果的にシュリンクフィルム１０２がめくれ上がることを防止できる。
【００４４】
加えて、本実施形態の包装用箱１によれば、第２舌片６の各凸部６１が先細形状を呈していることで、第２舌片６を本体部２の差込孔８に差し込みやすくなる。
【００４５】
以上、本発明の実施形態について説明したが、本発明は上記実施形態に限定されるものではなく、本発明の趣旨を逸脱しない限りにおいて種々の変更が可能である。
【００４６】
例えば、上記実施形態の包装用箱１では、第２舌片６の頂部６０及び底部６２は丸みを帯びているが、図１０（ａ）に示すように、ともに又はいずれかは角張っていてもよい。
【００４７】
また、上記実施形態の包装用箱１では、第２舌片６の頂部６０が点（頂点）で構成されているが、図１０（ｂ）に示すように、線状をなしていてもよい。また、凹部６０の底部６２についても点で構成されているが、図示は省略するが、線状をなしていてもよい。
【００４８】
また、上記実施形態の包装用箱１では、第２舌片６の凹部６３が先細形状を呈しているが、図１０（ｃ）に示すように、矩形状を呈していてもよく、また、図示は省略するが、底部６２に向かって横幅が次第に広がる裾広形状を呈していてもよい。
【００４９】
また、上記実施形態の包装用箱１では、第２舌片６は頂部６０（凸部６１）を２つ有しているが、図１０（ｄ）及び（ｅ）に示すように、頂部６０（凸部６１）を１つだけ有していてもよく、頂部６０は、底蓋部４の横幅方向の中心位置からずれていれば左右のどちらかに位置していてもよい。この場合、第２舌片６は、頂部６０と連続するとともに、底蓋部４側に向かって低く傾斜する傾斜部６５を有していることが好ましい。この傾斜部６５は、図１０（ｄ）に示すように、頂部６０から少なくとも底蓋部４の横幅方向の中心位置まで延びていれば上記実施形態の凹部６３の傾斜した側辺部６４と同様の効果を発揮する。なお、図１０（ｅ）に示すように、傾斜部６５は、頂部６０から底蓋部４の横幅方向の中心位置を越えて延びていてもよい。なお、図示は省略するが、第２舌片６は頂部６０（凸部６１）を３つ以上有していてもよい。
【００５０】
また、上記実施形態の包装用箱１では、本体部２が４つの側面部２０〜２３で構成されているが、底蓋部４が接続された第１側面部と、第１側面部と対向していて第２舌片６の差込孔８が形成された第２側面部とを少なくとも含んでいれば、本体部２は４つより多い側面部で構成されていてもよい。
【００５１】
また、上記実施形態の包装用箱１では、包装される物品１００がシュリンクフィルム１０２で包装されているが、物品１００は必ずしもシュリンクフィルム１０２で包装されている必要はない。例えばラベルやステッカー、シールなどが外周面に貼り付けられた物品１００であってもよく、外周面の少なくとも一部が紙やフィルムなどのシート材により覆われた物品１００についてシート材がめくれることなく好適に包装することができる。
【００５２】
また、上記実施形態の包装用箱１では、包装される物品１００が円筒型であるが、円柱型、円錐型、円錐台型などの断面視が円形状の物品１００、さらには断面視が楕円形状の物品１００であっても同様の効果を奏する。その他、例えば断面視で円形状や楕円形状のような周方向の全周にわたって湾曲する外周面を有していなくても、周方向の一部において湾曲する形状を呈した外周面を有する物品１００において、外周面の前記湾曲した部分が少なくともシート材で覆われた場合であっても同様の効果を奏する。
【符号の説明】
【００５３】
１    包装用箱
２    本体部
３    上蓋部
４    底蓋部
５    上蓋部側の舌片（第１舌片）
６    底蓋部側の舌片（第２舌片）
７    差込孔
８    差込孔
６０  頂部
６１  凸部
６２  底部
６３  凹部
６４  側辺部
６５  傾斜部
【図１】
2020050349.tif 000003
【図２】
2020050349.tif 000004
【図３】
2020050349.tif 000005
【図４】
2020050349.tif 000006
【図５】
2020050349.tif 000007
【図６】
2020050349.tif 000008
【図７】
2020050349.tif 000009
【図８】
2020050349.tif 000010
【図９】
2020050349.tif 000011
【図１０】
2020050349.tif 000012
【図１１】
2020050349.tif 000013
【図１２】
2020050349.tif 000014
【図１３】
2020050349.tif 000015